(57)【要約】      （修正有）【課題】無接点で性能の劣化の殆ど生じることのないブルドン管式計器用内機を提供する。【解決手段】ピニオン軸８に切欠を有する遮光板１１が軸支されており、前記遮光板１１の動きを検出するセンサー１２が設けられ、前記センサー１２がこれを回転させるためのセンサー機構回転歯車１３から延設されたセンサー機構１４に備えられており、；前記センサー機構回転歯車１３は前記ピニオン軸の８周囲に配置されており、ボス用歯車１５と前記ボス用歯車１５の中心部から突き出ている設定ボス１６と前記設定ボスの動きと連動する設定指針１７とからなるボス機構を有し、前記ボス用歯車１５と前記センサー機構回転歯車１３とが直接又は間接的に噛み合っており、前記センサー機構回転歯車１３を、前記設定ボス１６の操作によって任意の量だけ回転させて、任意の位置に前記設定指針１７をセットする機構を有することを特徴とするブルドン管式計器用内機を提供する。【選択図】図６
2010276476.tif 000002
【特許請求の範囲】
【請求項１】
ブルドン管の管先の動きを、セクター用ロッドおよびセクター用調整子を経てセクター軸を回転軸としてセクターギアを動かし、前記セクターギアに噛み合っている歯車を介してピニオン軸を回し、前記ピニオン軸に打ち込まれた計測値指針に伝達して、ブルドン管の管先の変位量を拡大して示すブルドン管式計器用内機において、；
前記ピニオン軸にこれと垂直になるように、円形の平板状であって、その周端の一部を切り欠いた形状を有する遮光板が軸支されており、；
前記遮光板の周囲端を挟み込むように、前記遮光板の動きを検出するセンサーが設けられていると共に、；
前記センサーが、これを回転させるためのセンサー機構回転歯車から延設されたセンサー機構に備えられており、；
前記センサー機構回転歯車は、前記ピニオン軸の周囲に配置されており、；
さらにボス用歯車と、前記ボス用歯車の中心部から突き出ている設定ボスと、前記設定ボスの動きと連動する設定指針と、からなるボス機構を有しており、；
前記ボス用歯車と前記センサー機構回転歯車とが直接又は間接的に噛み合っており、；
前記センサー機構回転歯車を、前記設定ボスの操作によって任意の量だけ回転させて、任意の位置に前記設定指針をセットする機構を有する；
ことを特徴とするブルドン管式計器用内機。
【請求項２】
前記計測値指針の裏側位置に取付けられている目盛板の内周部が円形状に切り欠かれており、この目盛板の切り欠かれた部分に、前記センサー機構回転歯車を内面に備えた周動目盛板が備えられていて、前記周動目盛板は前記センサー機構回転歯車の回転と共に前記目盛板の内周部を周動するようにされていると共に、前記ボス機構が前記目盛板に取り付けられており、かつ、前記設定ボスの周囲に設定指針が取り付けられていると共に、前記ボス用歯車と前記センサー機構回転歯車とが直接噛み合っている、請求項１記載のブルドン管式計器用内機。
【請求項３】
計測値を表示してある目盛板と内機上板との間に、取り付け台を介して、前記センサー機構回転歯車と前記ボス機構とが取り付けられていて、前記センサー機構回転歯車は、前記ボス機構中のボス用歯車と直接噛み合うようにされており、かつ、前記目盛板上に飛び出している前記センサー機構回転歯車の頭部の周囲に前記設定指針が取り付けられていると共に、前記設定指針と前記センサー機構とが一体化されている、請求項１記載のブルドン管式計器用内機。
【請求項４】
計測値を表示してある目盛板と内機上板との間に、取り付け台を介して、前記センサー機構回転歯車と前記ボス機構とが取り付けられており、前記センサー機構回転歯車は、両面ラックを介して、前記ボス機構中のボス用歯車と噛み合うようにされており、かつ、前記センサー機構と前記センサー機構回転歯車とが一体化されていると共に、前記両面ラックと前記設定指針とが一体化されている、請求項１記載のブルドン管式計器用内機。
【請求項５】
請求項２〜４のいずれかに記載のブルドン管計器用内機を組み込んでなる、ブルドン管式圧力計。
【請求項６】
請求項２〜４のいずれかに記載のブルドン管計器用内機を組み込んでなる、ブルドン管式温度計。
【請求項７】
警報装置及び送信装置を備えた、請求項５記載のブルドン管式圧力計。
【請求項８】
警報装置及び送信装置を備えた、請求項６記載のブルドン管温度計。
【発明の詳細な説明】
【技術分野】
【０００１】
本発明は、ブルドン管式計器用内機、並びに、これを搭載したブルドン管式圧力計およびブルドン管式温度計に関する。
【背景技術】
【０００２】
ブルドン管式計器用内機は、ブルドン管の管先の動きをロッドを経てセクターを動かし、セクターに噛み合っているピニオンを回し、ピニオン軸に打ち込まれた指針に伝達して、ブルドン管の管先の変位量を拡大して示すものである（例えば、特許文献１参照）。
【０００３】
このようなブルドン管式計器用内機を搭載した計器は、圧力測定や温度測定に広く用いられている。
特にブルドン管式圧力計は、圧力測定に広く用いられており、さらに、現場での圧力指示に対処するため、機械的な接点機構を別途設けたマイクロスイッチ接点付圧力計が知られている。
しかしながら、このマイクロスイッチ接点計器は、有接点式であることから、接点が焦げ付くおそれがあり、また、マイクロスイッチなどの接点をブルドン管の力でＯＮ，ＯＦＦさせている為、圧力計のタイプとして低圧力計には適用しにくく、その結果、圧力計の小型化にも限界がある、などの問題があり、改善が望まれていた。
【０００４】
なお、圧力スイッチとなると、別の有接点のマイクロスイッチなどを搭載するので、いわゆるスイッチの内機は、この有接点式のスイッチを押す機構が無くてはならず、例えば圧力計内機と圧力計スイッチの内機とは別の物であった。圧力計は圧力計内機、圧力計スイッチは圧力計スイッチの内機を必要とした。
従って、その結果、圧力計、圧力計スイッチという分類になっており、「計」とだけ付くものは計測機能だけの物、「スイッチ」は計測機能に制御機能を付加した計器という概念が世界共通認識であった。圧力計は流体の圧力位置を示すだけのもので、それに伴う制御機能を求められるものは、内機を変えたり、ブルドン管の力を変えて対応してきた。
【０００５】
圧力計の圧力値を見て管理する目視の管理から、シーケンス制御に大きく変わる生産現場は、計測し、制御出来る機能を求めており、（１）その機能が劣化しない事、（２）有接点式で無い事、（３）適正価格である事（スイッチは一品一様式で高価）、（４）計測機能に負荷がかからない事、（５）当産業界では一様式で対応出来、特別仕様で無い事（空圧業界なら１Mpaを最高圧とする）等が要望されている。
【先行技術文献】
【特許文献】
【０００６】
【特許文献１】特許第３６３５２３３号公報
【発明の概要】
【発明が解決しようとする課題】
【０００７】
本発明は、上記の如き要望に応え、無接点で、性能の劣化の殆ど生じることのない、ブルドン管式計器用内機、特にセットした設定指針の圧力値に達すると、シーケンス制御用の信号がリード線を通じて得られるブルドン管式計器用内機、およびそれを搭載したブルドン管式計器（特にはブルドン管式圧力計）を提供することを目的とするものである。
【課題を解決するための手段】
【０００８】
本発明者は、上記従来の目的を達成するため鋭意検討を重ねた。その結果、ブルドン管式計器用内機にセンサーを付け、このセンサーをＯＮ−ＯＦＦさせる機構を付け、任意にセットした設定指針の圧力値に達すると、シーケンス制御用の信号がリード線を通じて得られる機構を組付けることにより、目的を達成することができることを見出した。
本発明は、この知見に基づいて本発明を完成するに至った。
【０００９】
すなわち、請求項１に係る本発明は、ブルドン管の管先の動きを、セクター用ロッドおよびセクター用調整子を経てセクター軸を回転軸としてセクターギアを動かし、前記セクターギアに噛み合っている歯車を介してピニオン軸を回し、前記ピニオン軸に打ち込まれた計測値指針に伝達して、ブルドン管の管先の変位量を拡大して示すブルドン管式計器用内機において、；
前記ピニオン軸にこれと垂直になるように、円形の平板状であって、その周端の一部を切り欠いた形状を有する遮光板が軸支されており、；
前記遮光板の周囲端を挟み込むように、前記遮光板の動きを検出するセンサーが設けられていると共に、；
前記センサーが、これを回転させるためのセンサー機構回転歯車から延設されたセンサー機構に備えられており、；
前記センサー機構回転歯車は、前記ピニオン軸の周囲に配置されており、；
さらにボス用歯車と、前記ボス用歯車の中心部から突き出ている設定ボスと、前記設定ボスの動きと連動する設定指針と、からなるボス機構を有しており、；
前記ボス用歯車と前記センサー機構回転歯車とが直接又は間接的に噛み合っており、；
前記センサー機構回転歯車を、前記設定ボスの操作によって任意の量だけ回転させて、任意の位置に前記設定指針をセットする機構を有する；
ことを特徴とするブルドン管式計器用内機を提供するものである。
請求項２に係る本発明は、前記計測値指針の裏側位置に取付けられている目盛板の内周部が円形状に切り欠かれており、この目盛板の切り欠かれた部分に、前記センサー機構回転歯車を内面に備えた周動目盛板が備えられていて、前記周動目盛板は前記センサー機構回転歯車の回転と共に前記目盛板の内周部を周動するようにされていると共に、前記ボス機構が前記目盛板に取り付けられており、かつ、前記設定ボスの周囲に設定指針が取り付けられていると共に、前記ボス用歯車と前記センサー機構回転歯車とが直接噛み合っている、請求項１記載のブルドン管式計器用内機を提供するものである。
請求項３に係る本発明は、計測値を表示してある目盛板と内機上板との間に、取り付け台を介して、前記センサー機構回転歯車と前記ボス機構とが取り付けられていて、前記センサー機構回転歯車は、前記ボス機構中のボス用歯車と直接噛み合うようにされており、かつ、前記目盛板上に飛び出している前記センサー機構回転歯車の頭部の周囲に前記設定指針が取り付けられていると共に、前記設定指針と前記センサー機構とが一体化されている、請求項１記載のブルドン管式計器用内機を提供するものである。
請求項４に係る本発明は、計測値を表示してある目盛板と内機上板との間に、取り付け台を介して、前記センサー機構回転歯車と前記ボス機構とが取り付けられており、前記センサー機構回転歯車は、両面ラックを介して、前記ボス機構中のボス用歯車と噛み合うようにされており、かつ、前記センサー機構と前記センサー機構回転歯車とが一体化されていると共に、前記両面ラックと前記設定指針とが一体化されている、請求項１記載のブルドン管式計器用内機を提供するものである。
請求項５に係る本発明は、請求項２〜４のいずれかに記載のブルドン管計器用内機を組み込んでなる、ブルドン管式圧力計を提供するものである。
請求項６に係る本発明は、請求項２〜４のいずれかに記載のブルドン管計器用内機を組み込んでなる、ブルドン管式温度計を提供するものである。
請求項７に係る本発明は、警報装置及び送信装置を備えた、請求項５記載のブルドン管式圧力計を提供するものである。
請求項８に係る本発明は、警報装置及び送信装置を備えた、請求項６記載のブルドン管温度計を提供するものである。
【発明の効果】
【００１０】
本発明によるブルドン管式計器用内機をブルドン管式圧力計や温度計に搭載することにより、計測機能に何等の障害を与えず、所謂スイッチの機能を付与することができる。
特に、従来の圧力スイッチに本発明によるブルドン管圧力計内機を搭載すれば、大型で高額で複雑な機構で、有接点で有るが故のトラブルを抱える圧力スイッチから、無接点式センサーから得られる信号により制御の出来る方向に向かう。特にセンサーのＯＮ，ＯＦＦにブルドン管の力を必要としないので、低圧用圧力計、例えば真空計、差圧計などにも応用でき、併せて計器自体の小型化ができる。
このことによる効果は、各種計測器業界並びに制御機器業界に於いて根本より製造技術を革命的に一新することとなり、制御信号機能を持たない計測器を駆逐し、制御機器に於いては産業界の求めるシーケンス制御に最も適合する計器を、適正価格で提供できることとなる。大きさを直径２５ｍｍ程の圧力計に組み込めば圧力センサーとして、大いに活躍することが出来る。
【００１１】
また、本発明によれば、安全や危険を伝える信号の開始点の自由な選択を可能にする製造技術である。
すなわち、セットした設定指針の圧力値に於いて、シーケンス制御用の電気信号がリード線を通して得られることを特色に持つ。
特に、従来の圧力スイッチにおいては、スイッチ＝高額は一個一個をベースとする受注生産によるところが大きく、少なくともその産業界に対応した機種の提供が要望される。
例えば、産業界の製造ライン、自動組立機等々はコンプレッサーを動力源としてコンプレッサーの空気圧発生能力を制御の限界に置き、関連する諸機器の適正空気圧を設定することが主流である。また、例えば、空気圧業界に於ける制御信号は最高を１．０Ｍｐａとして、開始点を自由選定する機構を提供する以外に巾を設定出来る技術である。
【００１２】
また、本発明によれば、現在の概念でいう圧力計が圧力計スイッチの機能を持つ圧力計に変わり、また、温度計が温度計スイッチの機能を持つ温度計に変わる。
例えば、現況の作業現場では、圧力計スイッチが高額故に圧力計であれば圧力計の目盛板に青色や赤色の色塗りや、指針セーフティマーク付きが一般化するくらい作業者の目による品質管理維持の為のガードをしてきている。
しかしながら、作業者レベルの多様化、海外への産業拠点の展開により抜本的に品質管理の手法は、目から制御機器導入による管理へと、変える必要性が高くなってきており、当然にシーケンス制御がその主流となってきた。よって制御機能を持つ計器を適正価格で提供することができる。
【００１３】
また、本発明によれば、空気圧機器が主動力となっている産業界に於いて、シーケンス制御が主流となっている作業ラインや諸機器の最も簡便な管理が完全に出来る。併せて管理器からの受信装置を作っておき、作業者の名札に装着して、作業者にブルブル体感させて見落としを無くし品質管理に支障をきたすトラブルを完全に除去することができる。
【図面の簡単な説明】
【００１４】
【図１】圧力計に搭載する本発明のブルドン管式圧力計内機の一例を分解した状態を示す斜視図である。
【図２】本発明のブルドン管式圧力計内機の内部の一部断面状態を示す図である。
【図３】本発明のブルドン管式圧力計内機の内部について、その一部を計測値指針とは反対側から見た図である。
【図４】本発明のブルドン管式圧力計内機を搭載した圧力計に取り付ける目盛板の一例を示す図である。
【図５】本発明のブルドン管式圧力計内機における、遮光板とンサーとの位置関係を示す説明図である。
【図６】圧力計に搭載する本発明のブルドン管式圧力計内機の一例を分解した状態を示す斜視図である。
【図７】本発明のブルドン管式圧力計内機の内部の一部断面状態を示す図である。
【図８】本発明のブルドン管式圧力計内機の内部について、その一部を計測値指針側から見た図である。
【図９】本発明のブルドン管式圧力計内機を搭載した圧力計に取り付ける目盛板の一例を示す図である。
【図１０】圧力計に搭載する本発明のブルドン管式圧力計内機の一例を分解した状態を示す斜視図である。
【図１１】本発明のブルドン管式圧力計内機の内部の一部断面状態を示す図である。
【図１２】本発明のブルドン管式圧力計内機の内部について、その一部を計測値指針側から見た図である。
【図１３】本発明のブルドン管式圧力計内機を搭載した圧力計に取り付ける目盛板の一例を示す図である。
【図１４】本発明のブルドン管式圧力計内機を搭載した圧力計の実施形態の一態様を示す図である。
【図１５】本発明のブルドン管式圧力計内機を搭載した圧力計（警報装置（警告装置）及び送信装置を備えたもの）の実施形態の一態様を示す図である。
【発明を実施するための形態】
【００１５】
以下、本発明の実施形態について、図面に基づいて説明する。
まず本発明のブルドン管式計器用内機の一例として、‘ブルドン管式圧力計用の内機’について、図１〜１３により説明する。
【００１６】
図１〜５は、本発明のブルドン管式圧力計内機の一態様を示す図である。
このうち図１は、圧力計に搭載する本発明のブルドン管式圧力計内機の一例を分解した状態を示す斜視図である。図２は、本発明のブルドン管式圧力計内機の内部の一部断面状態を示す図である。図３は、本発明のブルドン管式圧力計内機の内部について、その一部を計測値指針とは反対側から見た図である。図４は、本発明のブルドン管式圧力計内機を搭載した圧力計に取り付ける目盛板の一例を示す図である。図５は、本発明のブルドン管式圧力計内機における、遮光板とセンサーとの位置関係を示す説明図であって、図２の矢視Ａ図である。
【００１７】
図６〜９は、本発明のブルドン管式圧力計内機の別の態様を示す図である。
このうち図６は、圧力計に搭載する本発明のブルドン管式圧力計内機の一例を分解した状態を示す斜視図である。図７は、本発明のブルドン管式圧力計内機の内部の一部断面状態を示す図である。図８は、本発明のブルドン管式圧力計内機の内部について、その一部を計測値指針側から見た図である。図９は、本発明のブルドン管式圧力計内機を搭載した圧力計に取り付ける目盛板の一例を示す図である。
【００１８】
図１０〜１３は、本発明のブルドン管式圧力計内機のさらに別の態様を示す図である。
このうち図１０は、圧力計に搭載する本発明のブルドン管式圧力計内機の一例を分解した状態を示す斜視図である。図１１は、本発明のブルドン管式圧力計内機の内部の一部断面状態を示す図である。図１２は、本発明のブルドン管式圧力計内機の内部について、その一部を計測値指針側から見た図である。図１３は、本発明のブルドン管式圧力計内機を搭載した圧力計に取り付ける目盛板の一例を示す図である。
【００１９】
本発明は、ブルドン管１の管先２の動きを、セクター用ロッド３およびセクター用調整子４を経てセクター軸５を回転軸としてセクターギア６を動かし、セクターギア６に噛み合っている歯車７を介してピニオン軸８を回し、ピニオン軸８に打ち込まれた計測値指針９に伝達して、ブルドン管１の管先２の変位量を拡大して示すブルドン管式計器用内機に関するものである。
なお、図中、符号１０は内機上板である。
管先２の動きは、セクター用ロッド３およびセクター用調整子４を経てセクター軸５を回転軸としてセクターギア６を動かし、セクターギア６に噛み合っている歯車７を介してピニオン軸８を回す。従って、最終的に、ピニオン軸８に打ち込まれた計測値指針９に伝達して、ブルドン管１の管先２の変位量を拡大して示す。
【００２０】
本発明は、上記したようなブルドン管式計器用内機において、；
ピニオン軸８にこれと垂直になるように、円形の平板状であって、その周端の一部を切り欠いた形状を有する遮光板１１が軸支されており、；
遮光板１１の周囲端を挟み込むように、遮光板１１の動きを検出するセンサー１２が設けられていると共に、；
センサー１２が、これを回転させるためのセンサー機構回転歯車１３から延設されたセンサー機構１４に備えられており、；
センサー機構回転歯車１３は、ピニオン軸８の周囲に配置されており、；
さらにボス用歯車１５と、ボス用歯車１５の中心部から突き出ている設定ボス１６と、設定ボス１６の動きと連動する設定指針１７と、からなるボス機構Ａを有しており、；
ボス用歯車１５とセンサー機構回転歯車１３とが直接又は間接的に噛み合っており、；
センサー機構回転歯車１３を、設定ボス１６の操作によって任意の量だけ回転させて、任意の位置に設定指針１７をセットする機構を有する；
ことを特徴とするブルドン管式計器用内機を提供するものである。
【００２１】
即ち、ブルドン管式計器用内機の内機上板１０から突き出ているピニオン軸８に、これと垂直になるように、遮光板１１が軸支されている。
ここで遮光板１１は、図５に示すように、円形の平板状であって、その周端の一部を切り欠いた形状を有しており、扇状に切り欠いた部分（遮光しない部分）と、切り欠いていない部分（遮光する部分）とが混在している。
【００２２】
このような遮光板１１の周囲端を挟み込むように、遮光板１１の動きを検出するセンサー１２が設けられている。
センサー１２としては、図２に示されるように、略コ字状或いは略ハ字状に配置したものが用いられ、略コ字状に配置したもので言えば、この「コの字」の凹んだ部分に、遮光板１１の周囲端が挟み込まれる。
【００２３】
ここでセンサー１２は、これを回転させるためのセンサー機構回転歯車１３から延設されたセンサー機構１４に備えられている。
センサー機構回転歯車１３は、ピニオン軸８の周囲に配置されており、ピニオン軸８の動きとは連動しないように備えられている。
【００２４】
さらに、ボス用歯車１５と、ボス用歯車１５の中心部から突き出ている設定ボス１６と、設定ボス１６の動きと連動する設定指針１７と、からなるボス機構Ａが備えられていて、このボス機構Ａ中のボス用歯車１５と前記したセンサー機構回転歯車１３とが、直接又は間接的に噛み合っている。
【００２５】
そして、センサー機構回転歯車１３を、設定ボス１６の操作によって任意の量だけ回転させて、任意の位置に設定指針１７をセットするようにされている。設定ボス１６には、任意の量だけ回転できるように、例えばその頭部に溝（プラス状、マイナス状、□状、△状などの形状の溝）が穿設されたものを用いることができるが、これに限定されるものではない。図１などでは、頭部にマイナス状の溝を穿ったものを示しているが、この他に、プラス状、□状、△状などの形状の溝を穿ったもの、レンチ等で回転可能な多角形（六角形、五角形など）の形状のもの、棒状や突起状のものなどそのまま回転可能な形状のもの等を挙げることができる。
なお、本発明は、ピニオン軸の周りに、遮光板やセンサー機構などを配置したものであるが、必要に応じて、セクター軸等の回動する軸の周りに、遮光板やセンサー機構などを配置したものとすることも可能である。
【００２６】
このような本発明のブルドン管式計器用内機は、より具体的には、前記したように、図１〜５に示される態様（第一の態様）と、図６〜９に示される態様（第二の態様）と、図１０〜１３に示される態様（第三の態様）と、に分けられるので、以下、この３つの態様について順に説明する。
【００２７】
まず、図１〜５に示される、本発明のブルドン管式圧力計内機の一態様（第一の態様）に基づいて、本発明のブルドン管式圧力計内機を説明する。
この態様では、計測値指針９の裏側位置に取付けられている目盛板１８の内周部が円形状に切り欠かれており、この目盛板１８の切り欠かれた部分に、センサー機構回転歯車１３を内面に備えた周動目盛板１９が備えられていて、周動目盛板１９はセンサー機構回転歯車１３の回転と共に目盛板１８の内周部を周動するようにされていると共に、ボス機構Ａが目盛板１８に取り付けられており、かつ、設定ボス１６の周囲に設定指針１７が取り付けられていると共に、ボス用歯車１５とセンサー機構回転歯車１３とが直接噛み合っている。
【００２８】
ここで目盛板１８の表面には、計測値を表示してある表示目盛１８Ａと、設定値を表示してある設定目盛１８Ｂと、が付されている。
目盛板１８の内周部の円形状に切り欠かれた部分には、センサー機構回転歯車１３を内面に備えた周動目盛板１９が備えられていて、周動目盛板１９はセンサー機構回転歯車１３の回転と共に目盛板１８の内周部を周動するようにされている。
ここで周動目盛板１９は、図２に示すように、目盛板１８の内周部の円形状に切り欠かれた部分に、目盛板１８に緩く挟み込まれるように（緩挿状態で）配置されており、このため目盛板１８の内周部を、摺動しながら動く（周動する）ことができる。
この周動目盛板１９の内面側、つまりブルドン管１側には、図３に示すように、センサー機構回転歯車１３が備えられており、周動目盛板１９とセンサー機構回転歯車１３とは一体化されている。特に一体成形しておくとよい。
【００２９】
センサー機構回転歯車１３には、さらにセンサー機構１４が延設されており、センサー機構１４にはセンサー１２が備えられている。これらセンサー機構回転歯車１３とセンサー機構１４と周動目盛板１９とは、別々に成形されるか、或いは一体成形されている。
【００３０】
そして、ボス用歯車１５と、ボス用歯車１５の中心部から突き出ている設定ボス１６と、設定ボス１６の動きと連動する設定指針１７と、からなるボス機構Ａが、目盛板１８の内面側、つまりブルドン管１側から、取り付けられている。このうち、設定ボス１６は、目盛板１８上に突き出るように配置されている。
さらに、目盛板１８上に突き出ている設定ボス１６の周囲には、設定指針１７が取り付けられていると共に、ボス用歯車１５とセンサー機構回転歯車１３とが直接噛み合うようにされている。
設定指針１７には、例えば赤色や青色などの色をつけ、危険防止（赤針）や安全表示（青針）に資することができる。
【００３１】
このような図１〜５に示される構造のブルドン管式圧力計内機は、次のようにして組み立てることができる。
まず、ブルドン管１の管先２の動きを、セクター用ロッド３およびセクター用調整子４を経てセクター軸５を回転軸としてセクターギア６を動かし、セクターギア６に噛み合っている歯車７を介してピニオン軸８を回し、ピニオン軸８に打ち込まれた計測値指針９に伝達して、ブルドン管１の管先２の変位量を拡大して示す、ブルドン管式計器用内機を用意する。このようなものは、公知のものであり、市販されているものを用いることもできる。
【００３２】
次に、ブルドン管式計器用内機の内機上板１０から突き出ているピニオン軸８に、遮光板１１を落とし込み固定する。
【００３３】
さらに、内面側、つまりブルドン管１側に、センサー機構回転歯車１３を備えた周動目盛板１９を用意する。このセンサー機構回転歯車１３には、前記したように、センサー１２を備えたセンサー機構１４が延設されている。
このような周動目盛板１９を、センサー１２が遮光板１１の周囲端を挟み込むようにセットする。
【００３４】
一方、図２に示すように、設定ボス１６がその中心部から突き出ているボス用歯車１５を、センサー機構回転歯車１３と噛み合わせ、この状態で、目盛板１８に組み込み、設定ボス１６を設定目盛１８Ｂの位置に突き出しておく。従って、目盛板１８には、設定ボス１６を設定目盛１８Ｂの位置に突き出すための孔が設けられている。
【００３５】
ボス用歯車１５の中心部から突き出ている設定ボス１６から、目盛板１８を挟んで、設定指針１７を落とし込み、固定する。
【００３６】
設定ボス１６を、例えばドライバーを用いて回転させ、設定目盛１８Ｂ上にある設定指針１７を任意の位置にセットする。これにより、センサー１２を遮光板１１が遮光し、センサー１２が検知する光を遮光するため、ＯＮ、ＯＦＦの電気信号が取り出せることになる。
【００３７】
次に、図６〜９に示される、本発明のブルドン管式圧力計内機の別の態様（第二の態様）に基づいて、本発明のブルドン管式圧力計内機を説明する。なお、図６には、取り付け台の裏面を併せて示している。
この態様では、計測値を表示してある目盛板１８と内機上板１０との間に、取り付け台２０を介して、センサー機構回転歯車１３とボス機構Ａとが取り付けられていて、センサー機構回転歯車１３は、ボス機構Ａ中のボス用歯車１５と直接噛み合うようにされており、かつ、目盛板１８上に飛び出しているセンサー機構回転歯車１３の頭部の周囲に設定指針１７が取り付けられていると共に、設定指針１７とセンサー機構１４とが一体化されている。
【００３８】
この態様では、目盛板１８には、計測値を表示してある表示目盛１８Ａのみが付されている。
目盛板１８と内機上板１０との間には、取り付け台２０が配置されている。この取り付け台２０を介して、目盛板１８と内機上板１０との間に、センサー機構回転歯車１３とボス機構Ａとが取り付けられている。
センサー機構回転歯車１３の中心には、孔が開いている。
取り付け台２０は、センサー機構回転歯車１３とボス機構Ａとを、目盛板１８と内機上板１０との間に取り付けることができる構造のものであればよい。
図６、７では、取り付け台２０の表面（目盛板１８側）には、センサー機構回転歯車支柱２１と、ボス用歯車支柱２２とが設けられている。センサー機構回転歯車支柱２１には、この中に通されるピニオン軸８の回転に妨げにならないような孔が中心に開いている。
【００３９】
また、取り付け台２０の裏面、つまりブルドン管１側には、内機上板１０に引っ掛けられるようなスナップ機構（図６，７で上側のスナップ機構２３Ａと、図６，７で下側のスナップ機構２３Ｂ）とが備えられている。
図６，７では、上側のスナップ機構２３Ａは、フック式のものを示していて、その先を内機上板１０の上部に設けられている溝２５に引っ掛けられるようにしている。一方、下側のスナップ機構２３Ｂは、内機上板１０の下部に設けられている孔２４に押し込み固定できるようなものとなっている。
但し、内機上板１０と結合できるような機構であれば、必ずしも上記したようなスナップ機構でなくともよい。
なお、図６，７に示すように、取り付け台２０の裏面（ブルドン管１側）には、突起２６が複数設けられている。これにより、内機上板１０に取り付けたときに、取り付け台２０の平面度が保たれる構造になっている。
【００４０】
このような構造の取り付け台２０の表面（目盛板１８側）側であって、目盛板１８の裏面側との間に、センサー機構回転歯車１３とボス機構Ａとが取り付けられている。
センサー機構回転歯車１３は、ボス機構Ａ中のボス用歯車１５と直接噛み合うようにされている。
そして、センサー機構回転歯車１３の頭部は、目盛板１８に開けられた孔２７から、目盛板１８上に飛び出している。
【００４１】
このように目盛板１８に開けられた孔２７から目盛板１８上に飛び出している、センサー機構回転歯車１３の頭部の周囲には、設定指針１７が取り付けられている。
ここで設定指針１７と、センサー１２を備えたセンサー機構１４とは、一体化されている。図では、設定指針１７と、センサー１２を備えたセンサー機構１４とが、一体成形されているものを用いているが、両者が一体化されていればよく、一体成形されているものに限定されるものではない。
【００４２】
このような図６〜９に示される構造のブルドン管式圧力計内機は、次のようにして組み立てることができる。
まず、内機上板１０の上部に設けられている溝２５に、取り付け台２０の裏面（ブルドン管１側）に備えられている、上側のスナップ機構２３Ａの先を引っ掛ける。
これと同時に、取り付け台２０の裏面に備えられている、下側のスナップ機構２３Ｂを、内機上板１０の下部に設けられている孔２４に押し込み固定する。このとき、前記したように、取り付け台２０の裏面に複数設けられている突起２６により、内機上板１０に取り付けたときに、取り付け台２０の平面度が保たれることになる。
【００４３】
次に、取り付け台２０の表面（目盛板１８側）に設けられているボス用歯車支柱２２に、ボス用歯車１５を落とし込み、同じく取り付け台２０の表面（目盛板１８側）に設けられているセンサー機構回転歯車支柱２１に、センサー機構回転歯車１３を落とし込み、ボス用歯車１５とセンサー機構回転歯車１３とが直接噛み合うように組み込む。
このとき、ピニオン軸８の先は、取り付け台２０の表面（目盛板１８側）に設けられているセンサー機構回転歯車支柱２１の中心に開けられている孔から突き出て、さらにセンサー機構回転歯車１３の中心に開けられている孔からも突き出ている。
【００４４】
さらに、目盛板１８を組み付ける。このとき、ボス用歯車１５の中心部から突き出ている設定ボス１６と、センサー機構回転歯車１３の頭部１３Ａとを、目盛板１８上に突き出るようにする。また、ピニオン軸８の先も、目盛板１８から突き出るようにする。
【００４５】
次に、遮光板１１を、ピニオン軸８の先に落とし込み、設定値に合わせて固定する。
このとき相前後して、目盛板１８上に頭部１３Ａを突き出しているセンサー機構回転歯車１３に（その頭部１３Ａ）に、センサー１２を備えたセンサー機構１４と一体化されている設定指針１７を落とし込み、遮光板１１の周囲端をセンサー１２が挟み込むようにし、設定値に合わせて固定する。
そして、計測値指針９をピニオン軸８の先に落とし込み、設定値に合わせて固定する。
【００４６】
目盛板１８上に突き出ている設定ボス１６を回転させ、設定指針１７を任意の位置にセットする。これにより、センサー機構１４に備えられているセンサー１２を遮光板１１が遮光し、センサー１２が検知する光を遮光するため、ＯＮ、ＯＦＦの電気信号が取り出せることになる。
【００４７】
次に、図１０〜１３に示される、本発明のブルドン管式圧力計内機のさらに別の態様（第三の態様）に基づいて、本発明のブルドン管式圧力計内機を説明する。なお、図１０には、取り付け台の裏面を併せて示している。
この態様では、計測値を表示してある目盛板１８と内機上板１０との間に、取り付け台２０を介して、センサー機構回転歯車１３とボス機構Ａ中のボス用歯車１５とが取り付けられており、センサー機構回転歯車１３は、両面ラック３０を介して、ボス機構Ａ中のボス用歯車１５と噛み合うようにされており、かつ、センサー機構１４とセンサー機構回転歯車１３とが一体化されていると共に、両面ラック３０と設定指針１７とが一体化されている。
【００４８】
ここでセンサー１２を備えたセンサー機構１４と、センサー機構回転歯車１３とは、一体化されている。図では、センサー機構回転歯車１３と、センサー１２を備えたセンサー機構１４とが、一体成形されているものを用いているが、両者が一体化されていればよく、必ずしも一体成形されているものに限定されるものではない。
【００４９】
また、同様に、両面ラック３０と設定指針１７とは、一体化されている。図では、両面ラック３０と設定指針１７とが、一体成形されているものを用いているが、両者が一体化されていればよく、必ずしも一体成形されているものに限定されるものではない。なお、両面ラック３０の両面には、歯車が備えられており、それぞれセンサー機構回転歯車１３及びボス用歯車１５と噛み合うようにされている。
【００５０】
図１０〜１３に示される、本発明のブルドン管式圧力計内機のさらに別の態様（第三の態様）は、以上の点に特色を有するものであって、以上の点以外は、基本的には、前記した図５〜８に示される、本発明のブルドン管式圧力計内機の別の態様（第二の態様）と、共通するところが多い。
【００５１】
ここで目盛板１８には、計測値を表示してある表示目盛１８Ａと設定目盛１８Ｂが付されている。なお、設定目盛１８Ｂの隣には、設定指針１７を突き出すことのできる孔（小窓様の孔）が設けられており、この孔（小窓様の孔）から設定指針１７の先を突き出す。
【００５２】
目盛板１８と内機上板１０との間には、取り付け台２０が配置されている。この取り付け台２０を介して、目盛板１８と内機上板１０との間に、センサー機構回転歯車１３と、ボス機構Ａの一部を構成する、ボス用歯車１５及び設定ボス１６と、が取り付けられている。
【００５３】
センサー機構回転歯車１３の中心には、孔が開いている。
取り付け台２０は、センサー機構回転歯車１３と、ボス機構Ａの一部を構成する、ボス用歯車１５及び設定ボス１６と、を、目盛板１８と内機上板１０との間に取り付けることができる構造のものであればよい。
図１０、１１では、取り付け台２０の表面（目盛板１８側）には、センサー機構回転歯車支柱２１と、ボス用歯車支柱２２とが設けられている。センサー機構回転歯車支柱２１には、この中に通されるピニオン軸８の回転に妨げにならないような孔が中心に開いている。
取り付け台２０には、両面ラック３０が摺動することのできる溝３１が、図１０でいうと、上下方向に設けられている。
【００５４】
また、取り付け台２０の裏面（ブルドン管１側）には、内機上板１０に引っ掛けられるようなスナップ機構（図１１において左側のスナップ機構２３Ａと、図１１において右側のスナップ機構２３Ｂ）とが備えられている。
図１１において、左側のスナップ機構２３Ａは、フック式のものを示していて、その先を内機上板１０の向かって左側に設けられている溝２５に引っ掛けられるようにしている。一方、図１１において、右側のスナップ機構２３Ｂは、内機上板１０の向かって右側に設けられている孔２４に押し込み固定できるようなものとなっている。なお、スナップ機構２３Ａ、スナップ機構２３Ｂ、孔２４、溝２５は、実際は、それぞれ図１０に示す如き位置に設けられている。
【００５５】
なお、図１１に示すように、取り付け台２０の裏面（ブルドン管１側）には、突起２６が複数設けられている。これにより、内機上板１０に取り付けたときに、取り付け台２０の平面度が保たれる構造になっている。
【００５６】
このような構造の取り付け台２０の表面（目盛板１８側）側であって、目盛板１８の裏面側との間に、センサー機構回転歯車１３と、ボス機構Ａの一部を構成する、ボス用歯車１５及び設定ボス１６と、が取り付けられている。
センサー機構回転歯車１３は、両面ラック３０を介して、ボス機構Ａ中のボス用歯車１５と噛み合うようにされている。
そして、ピニオン軸８の頭部は、目盛板１８に開けられた孔２７から、目盛板１８上に飛び出している。
【００５７】
このような図１０〜１３に示される構造のブルドン管式圧力計内機は、次のようにして組み立てることができる。
【００５８】
まず、図１１において、内機上板１０の向かって左側に設けられている溝２５に、取り付け台２０の裏面（ブルドン管１側）に備えられている、左側のスナップ機構２３Ａの先を引っ掛ける。これと同時に、取り付け台２０の裏面（ブルドン管１側）に備えられている、図１１において右側のスナップ機構２３Ｂを、図１１において内機上板１０の向かって右側に設けられている孔２４に押し込み固定する。このとき、前記したように、取り付け台２０の裏面（ブルドン管１側）に複数設けられている突起２６により、内機上板１０に取り付けたときに、取り付け台２０の平面度が保たれることになる。
【００５９】
次に、取り付け台２０の表面（目盛板１８側）に設けられているボス用歯車支柱２２に、ボス用歯車１５を落とし込み、同じくセンサー機構回転歯車支柱２１に、センサー機構１４と一体化されているセンサー機構回転歯車１３を落とし込み、設定指針１７と一体化されている両面ラック３０を、取り付け台２０の溝３１に嵌め込みながら、両面に備えられている歯車を、それぞれセンサー機構回転歯車１３とボス用歯車１５に噛み合わせる。
このとき、ピニオン軸８の先は、取り付け台２０の表面（目盛板１８側）に設けられているセンサー機構回転歯車支柱２１の中心に開けられている孔から突き出て、さらにセンサー機構回転歯車１３の中心に開けられている孔からも突き出るようにする。
さらに、このとき、遮光板１１の周囲端をセンサー１２が挟み込むようにしながら、ピニオン軸８の先に落とし込み、設定値に合わせて固定する。
【００６０】
目盛板１８の表面に、設定指針１７の先を突き出すようにして、設定値を調整してから、目盛板１８を固定する。
計測値指針９をピニオン軸８の先に落とし込み、設定値に合わせて固定する。
【００６１】
目盛板１８上に突き出ている設定ボス１６を回転させると、両面ラック３０を介して、任意の位置に設定指針１７がセットされ、センサー機構１４が周動し、センサー機構１４に備えられているセンサー１２を遮光板１１が遮光し、センサー１２が検知する光を遮光するため、ＯＮ、ＯＦＦの電気信号が取り出せることになる。
【００６２】
なお、内機上板１０と、内機下板３２との組み立て等は、次のようにして行うことができる。
ここで、符号３３は、ピニオン軸８の周りに巻き付けられている、ヒゲゼンマイである。また、符号３４は、内機上板１０と、内機下板３２を組み付けている支柱である。
内機下板３２の２箇所の支柱穴に、内機上板１０と、内機下板３２を組み付ける支柱３４を二本入れて仮組みしてみる。
【００６３】
そして、ヒゲゼンマイ３３が付いているピニオン軸８の歯車７と、セクターギア６に設けられている歯車との噛み合いをみて、上下をカシメル。なお、ピニオン軸８の周りにヒゲゼンマイ３３を付けることによって、バックラッシュ（遊び）を無くすことができる。
【００６４】
なお、ピニオン軸８の計測値指針９を取り付ける側の反対の端に、振動防止円盤を取り付ける態様とすることで、振動防止することができる。また、ピニオン軸８の計測値指針９を取り付ける側の反対の端に、油を掻き回す抵抗装置を取り付けて、油を注入したボックス内を取り付けることでも、振動防止することができる。
【００６５】
また、本発明の内機は、外形の大小、ブルドン管の大きさ及び移動量の違い、内機の拡大比率の違い等は、全て歯車比を変更する事で対処できる技術である。また、ブルドン管には、それぞれ移動量に多少のバラツキがある為に内機拡大機構であるセクター用調整子４をペンチ等で伸縮させて表示部（計測値指針９）が一定の角度になる様調整することができる。
【００６６】
本発明のブルドン管式計器用内機は、圧力計にも温度計にも適用可能な技術であるが、圧力計の場合の実施形態の一態様を、圧力計の場合の例として図１４に示す。
なお、圧力計の設定指針１７をある値にセットしておくと、計測値を示す計測値指針９がその値に至ると、センサー基板によりコントロールされた信号がリード線３５により送信される。
【００６７】
図１４に、本発明のブルドン管式計器用内機を搭載したブルドン管式圧力計の一例の斜視図を示す。
工場に於いて、エアーコンプレッサーを動力源に、例えば１Mpaを最高圧として稼働している生産ラインにおいて、本発明の圧力計内機を搭載したブルドン管式圧力計を圧力センサーとして各種機器別に取り付け、設定値を超えた場合の信号を、ＬＥＤ等の発光によって警告させることができる。例えば作業基準別に、ＩＳＯ認証規格別に、マイナス形状の溝のある設定ボス１６を廻し、適正に設定指針１７をセットし、表面ガラスに穿ってあるボス廻し窓口隠しキャップ３６をかける。
しかし、空気圧というものは漏れる事があり、又、外気によっても変化をきたす。
【００６８】
そこで、さらに警報装置（警告装置）及び送信装置を備えたものが、図１５に示すブルドン管式圧力計である。図中、符号３７は装置ボックス、符号３８は警報装置、符号３９は送信装置をそれぞれ示す。
警報装置３８としては、警告を音、光で発信したり、或いは直接作業者に振動を伝えたりするものが挙げられる。作業者には、振動を与える振動具４０（例えば、ブルブル体感名札）を所持させる。併せてリード線３５で発信もする。頻繁なトラブルが発生しない現状はかえって品質保証上のトラブルは残るので、確実な品質維持のお手伝いが出来る。
【産業上の利用可能性】
【００６９】
従来の圧力計、真空計、差圧計、温度計、高度計、湿度計等の計器は、制御機能を求められると、マイクロスイッチ等を使い、内機を変えてスイッチとしてきた。
本発明によれば、センサーを組み込んだ一様式の内機により、従来の圧力スイッチや温度スイッチではない信号が得られるセンサータイプの圧力計や温度計が提供出来ることとなった。
まずスイッチは高額という点から使用されにくかった分野での価格設定がしやすい構造になった。特に、圧力計の分野では、「赤」とか「青」とか目盛に色塗りをして、目に訴える管理をして来ている。また、防爆型とか種種の特殊仕様の圧力スイッチにも活用できる。
【００７０】
また、本発明によれば、センサーが無接点式であるため、耐久性能が向上した。
さらに、計測するだけでなく「オシャベリ」する計器の提供は産業界に貢献できる。
【００７１】
また、「スイッチ」という計器は、一品一様仕様であったが、本発明によれば、複雑な信号を取り出す等実に簡便である。産業界でも油圧圧力計なら・・・空圧ならば・・・と、ある一様の常識の中で対応出来る技術である。
【００７２】
また、あらゆる産業分野、あらゆる生産現場、医療現場の機器類へのセンサーとして、農業の温室管理での温度計、プロパンガスの熱効率の良い残圧のチェッカーとして、生ビールのおいしい残量チェッカーとして、ガス類の残圧チェッカーとして等業界毎に仕様の異なる中、自由にセット出来る機能は、その産業毎に一般化する上で不可失な技術である。
【００７３】
また、テコの原理による内機という拡大機構を介在させて計測器としている計器類は、この発明の原理により、簡便に制御機能を付与することが出来る。併せて回転軸のある水量計等の量を計るもの、中空容器形状のチャンバーによる計器類にも搭載可能な技術である。
【００７４】
また、我が国に於いて、労働市場を海外に求め、又、国内において外国人との同居の中の現場において、その品質保持の為の作業管理は、目視による管理は過去のシステムになりつつある。あらゆる現場でＩＳＯ規格が一般化する中、生産ラインの異常を個人に直接伝達する管理システムとして構築することが可能である。適正な価格の圧力センサーでトータルコストを下げ、ＩＳＯ規格のこの時代、登録規格を逸脱したら、作業者に直接ブルブルと体感させる管理を実現することが可能である。
【符号の説明】
【００７５】
１  ブルドン管
２  管先
３  セクター用ロッド
４  セクター用調整子
５  セクター軸
６  セクターギア
７  歯車
８  ピニオン軸
９  計測値指針
１０  内機上板
１１  遮光板
１２  センサー
１３  センサー機構回転歯車
１４  センサー機構
１５  ボス用歯車
１６  設定ボス
１７  設定指針
１８  目盛板
１８Ａ  表示目盛
１８Ｂ  設定目盛
１９  周動目盛板
２０  取り付け台
２１  センサー機構回転歯車支柱
２２  ボス用歯車支柱
２３Ａ  スナップ機構
２３Ｂ  スナップ機構
２４  内機上板の孔
２５  内機上板の溝
２６  突起
２７  目盛板の孔
３０  両面ラック
３１  取り付け台の溝
３２  内機下板
３３  ヒゲゼンマイ
３４  支柱
３５  リード線３５
３６  ボス廻し窓口隠しキャップ
３７  装置ボックス
３８  警報装置
３９  送信装置
４０  振動具
【図１】
2010276476.tif 000003
【図２】
2010276476.tif 000004
【図３】
2010276476.tif 000005
【図４】
2010276476.tif 000006
【図５】
2010276476.tif 000007
【図６】
2010276476.tif 000008
【図７】
2010276476.tif 000009
【図８】
2010276476.tif 000010
【図９】
2010276476.tif 000011
【図１０】
2010276476.tif 000012
【図１１】
2010276476.tif 000013
【図１２】
2010276476.tif 000014
【図１３】
2010276476.tif 000015
【図１４】
2010276476.tif 000016
【図１５】
2010276476.tif 000017